(57)【特許請求の範囲】
【請求項１】
不織布基材を真空成形することにより、前記不織布基材の全面に亘り、木枠間に形成しようとする通気層の短寸幅に相当する高さの中空突出部を多数配設し、前記各中空突出部間をつなぐように補強用リブを形成すると共に、前記中空突出部間の空隙を通気可能にして成る通気層形成用部材。
【請求項２】
前記不織布基材の周縁部と前記中空突出部の頂点部のうちの少なくとも一方を前記木枠又は前記木枠間の板材に固定可能にした、請求項１に記載の通気層形成用部材。
【請求項３】
前記不織布基材は、目付が２００乃至３００ｇ／ｍ２のポリエステル素材製である、請求項１又は２に記載の通気層形成用部材。
【請求項４】
前記不織布基材として、白又はそれに近い色のものが用いられる、請求項１乃至３のいずれかに記載の通気層形成用部材。
【請求項５】
前記不織布基材として、片面又は両面にアルミ蒸着したものが用いられる、請求項１乃至４のいずれかに記載の通気層形成用部材。
【請求項６】
前記不織布基材の幅は、それが施工される木枠間の間隔よりも少し大となるように設定される、請求項１乃至５のいずれかに記載の通気層形成用部材。
【請求項７】
前記中空突出部は、前記不織布基材の長さ方向に長い錐形状とされる、請求項１乃至６のいずれかに記載の通気層形成用部材。
【請求項８】
施工時に、前記中空突出部のいずれかを、隣り合う前記通気層形成用部材の前記中空突出部のいずれかに嵌合することにより、当該部材同士の接合を可能にした、請求項１乃至７のいずれかに記載の通気層形成用部材。
【請求項９】
前記不織布基材の周縁部に補強用リブ又は補強用リブとして機能する縦長溝が形成された、請求項１乃至８のいずれかに記載の通気層形成用部材。
【請求項１０】
前記不織布基材の幅方向全幅に亘る補強用リブが形成された、請求項１乃至９のいずれかに記載の通気層形成用部材。
【請求項１１】
前記中空突出部として、大きいサイズのものと小さいサイズのものとが含まれる、請求項１乃至１０のいずれかに記載の通気層形成用部材。
【請求項１２】
大きいサイズの前記中空突出部の列と小さいサイズの前記中空突出部の列が、長さ方向に交互に配列された、請求項１１に記載の通気層形成用部材。
【請求項１３】
前記大きいサイズの中空突出部の列に対して前記小さいサイズの中空突出部の列が幅方向にずらされることにより、前記各中空突出部が千鳥状配置となるようにされた、請求項１２に記載の通気層形成用部材。
【発明の詳細な説明】
【技術分野】
【０００１】
本発明は、通気層形成用部材に関するものであり、より詳細には、住宅の屋根、壁、床等に断熱材を配設するに際し、当該断熱材と野地板や外壁材等との間に通気層を確保するための通気層形成用部材に関するものである。
【背景技術】
【０００２】
例えば、屋根への断熱材の施工は、断熱材（マット状断熱材、ブロー式断熱材その他各種断熱材を含む。）を、野地板と垂木で形成される空間内に室内側から装填していくことにより行われるが、その装填に際し、当該断熱材と野地板との間に通気層が確保されるように施工される。そのために、断熱材の厚みが垂木の高さより少し短寸となるように設定される。
【０００３】
しかるに、断熱材は、野地板と垂木で形成される空間内に室内側から装填していくために、断熱材と野地板との間に、断熱材の厚みと垂木の高さの寸法差に相当する空間を保持することは容易なことではなく、押し込み過ぎによりその空間が潰されてしまうことが少なくないため、実際、十分な通気層を確保することは困難なことである。
【０００４】
そこで、断熱材と野地板との間に容易且つ確実に通気層を形成するために、断熱材の装填に先立ち、垂木間に通気層形成用部材を配設することが行われている。従来のこの種通気層形成用部材としては、段ボールを折曲して縦方向にスペーサー機能を持たせ、且つ、幅方向にある程度の弾性力を持たせたものがある。この段ボール製の部材は、低廉で取り扱いやすいという利点があるが、耐久性に欠け、経時的に性能が劣化するという問題がある。また、ポリスチレンフォームにアルミ蒸着した製品も存するが、この製品の場合は透湿性に欠け、湿気がこもりやすいという問題がある。
【０００５】
また、断熱材として、現場発泡ウレタン等を用いることがある。その場合、通気層形成用部材設置後、当該発泡材を通気層形成用部材に直接吹き付けて発泡材が所定の断熱材厚みにまで膨張するのを待つが、その際、発泡材が膨張するにつれて通気層形成用部材が室内側に引っ張られて反り返りが起こりやすい傾向にある。そして、その結果、その通気層形成用部材の反り返り部分における断熱材が室内側に膨出することになり、その膨出部分が削り取られるためにその部分の断熱材の厚みが不足することになる。しかし、従来、このような事態の発生を回避するための対策は何ら講じられていない。
【先行技術文献】
【特許文献】
【０００６】
【特許文献１】特開２０１１−１２４１４号公報
【特許文献２】特開２０１０−３７８２６号公報
【特許文献３】特開２００１−２２７０８０号公報
【発明の概要】
【発明が解決しようとする課題】
【０００７】
上述したように、断熱材と野地板との間に容易且つ確実に通気層を形成するために、断熱材の装填に先立ち、垂木間に通気層形成用部材が配設されるが、従来用いられている通気層形成用部材で段ボール製のものは、耐久性に欠けて経時的に性能が劣化するという問題があり、また、ポリスチレンフォームにアルミ蒸着したものは、透湿性に欠けていて湿気がこもりやすいという問題があった。
【０００８】
また、断熱材として、現場発泡ウレタン等を用いることがあるが、その場合、発泡材の膨張の際に通気層形成用部材が室内側に引っ張られて反り返りが起こり、室内側に膨出するその部分の断熱材が削り取られることで断熱材の厚みが不足するという事態の発生のおそれがあるが、従来、そのための対策は特に講じられていなかった。
【０００９】
更に、建物解体時には、解体された資材が種類ごとに分別されるが、従来の方法によって断熱材が施工された現場においては、断熱材が板材に密着していてその分離に手間がかかるという問題がある。以上の種々の問題は、断熱材を屋根に施工する場合だけでなく、壁や床に施工する場合にも起こり得ることである。
【００１０】
本発明は、上記従来の通気層形成用部材における種々の問題に鑑みてなされたもので、十分な保型性、耐久性並びに透湿性を有していて施工性に優れ、しかも量産に適していて低コストにて供給でき、断熱材と野地板等の板材との間に容易且つ確実に通気層を形成するのに好適な、通気層形成用部材を提供することを課題とする。
【００１１】
本発明はまた、現場発泡ウレタン等を用いるような場合において、発泡材の膨張に伴ってその上に位置する通気層形成用部材が室内側に引っ張られることがなく、以て、断熱材が削り取られることで断熱材の厚みが不足するという事態の発生を回避することができ、更に、建物解体時における分別性向上に寄与し得る通気層形成用部材を提供することも、解決すべき課題の１つとしている。
【課題を解決するための手段】
【００１２】
上記課題を解決するための請求項１に記載の発明は、不織布基材を真空成形することにより、前記不織布基材の全面に亘り、木枠間に形成しようとする通気層の短寸幅に相当する高さの中空突出部を多数配設し、前記各中空突出部間をつなぐように補強用リブを形成すると共に、前記中空突出部間の空隙を通気可能にして成る通気層形成用部材である。
【００１３】
一実施形態においては、前記不織布基材の周縁部と前記中空突出部の頂点部のうちの少なくとも一方が、前記木枠又は前記木枠間の板材に固定可能にされる。また、一実施形態においては、  前記不織布基材は、目付が２００乃至３００ｇ／ｍ２のポリエステル素材製とされ、前記不織布基材として、白又はそれに近い色のものが用いられ、前記不織布基材として、片面又は両面にアルミ蒸着したものが用いられる。また、前記不織布基材の幅は、それが施工される垂木間の間隔よりも少し大となるように設定される。
【００１４】
一実施形態においては、前記中空突出部は、前記不織布基材の長さ方向に長い錐形状とされ、施工時に、前記中空突出部のいずれかを、隣り合う前記通気層形成用部材の前記中空突出部のいずれかに嵌合することにより、当該部材同士の接合が可能にされる。
【００１５】
一実施形態においては、前記不織布基材の周縁部に補強用リブ又は補強用リブとして機能する縦長溝が形成され、また、前記不織布基材の幅方向全幅に亘る補強用リブが形成される。
【００１６】
また、一実施形態においては、前記中空突出部として、大きいサイズのものと小さいサイズのものとが含まれ、大きいサイズの前記中空突出部の列と小さいサイズの前記中空突出部の列が、長さ方向に交互に配列され、また、前記大きいサイズの中空突出部の列に対して前記小さいサイズの中空突出部の列が幅方向にずらされることにより、前記各中空突出部が千鳥状配置となるようにされる。
【発明の効果】
【００１７】
本発明は上述したとおりであって、本発明に係る通気層形成用部材は、不織布基材を真空成形することにより、前記不織布基材の全面に亘って多数の中空突出部を形成して成るものであるため、量産に適していて低コストにて供給でき、しかも、ある程度の剛性を有する不織布製であるために耐久性、施工性及び透湿性に富み、中空突出部が保形性を有するために各中空突出部間に長さ方向の通気スペースが確保され、以て、断熱材と野地板等の板材との間に十分な通気層が形成される効果がある。
【００１８】
請求項２に記載の発明においては、周縁部及び／又は中空突出部の頂点部が木枠又は木枠間の板材に固定されるため、現場発泡ウレタン工法による場合において、発泡材の膨張に伴って通気層形成用部材が室内側に引っ張られることがなく、以て、断熱材が不必要に削り取られることで断熱材の厚みが不足する事態の発生が回避される効果がある。
【００１９】
更に、現場発泡ウレタン工法の場合、原液が不織布製の本通気層形成用部材に含浸されるため、発泡して形成される断熱材の自己接着力が増大して本通気層形成用部材に完全に一体化する。そのため、断熱材が本通気層形成用部材から脱落するおそれがなくなるだけでなく、建物解体時に断熱材を周辺木材から分離する際に、本通気層形成用部材と一体に行うことができるために分離・分別が容易となるという効果がある。
【図面の簡単な説明】
【００２０】
【図１】本発明に係る通気層形成用部材の一実施形態の構成を示す底面図である。
【図２】図１におけるＡ−Ａ線、Ｂ−Ｂ線及びＣ−Ｃ線端面図である。
【図３】本発明に係る通気層形成用部材の他の実施形態の構成を示す底面図である。
【図４】図３におけるＡ−Ａ線、Ｂ−Ｂ線及びＣ−Ｃ線端面図である。
【図５】本発明に係る通気層形成用部材の一実施形態の構成を示す底面図である。
【図６】本発明に係る通気層形成用部材の使用方法を示す斜視図である。
【図７】本発明に係る通気層形成用部材の自己接着状態を示す概略図である。
【図８】本発明に係る通気層形成用部材の使用形態を示す概略図である。
【発明を実施するための形態】
【００２１】
本発明を実施するための形態につき、添付図面を参照しつつ説明する。以下に説明する例は、本通気層形成用部材を用いて断熱材を屋根に施工する場合のものであるが、壁や床に施工する場合も、屋根の場合に準じて実施する。先ず、図１及び図２に示される実施形態について説明するに、図１は本発明に係る通気層形成用部材Ｓの底面図であり、通気層形成用部材Ｓは、不織布基材を真空成形することにより、不織布基材１の全面に亘って多数の中空突出部２、２ａを配設して形成される。中空突出部２、２ａは、木枠（垂木１１）間に形成しようとする通気層の短寸幅（屋根の場合は高さであり、壁の場合は奥行である。）に対応する高さとされる。
【００２２】
不織布基材１は、ある程度の剛性を持たせるために、好ましくは、目付が２００乃至３００ｇ／ｍ２のポリエステル素材製とする。また、太陽光を反射させて遮熱効果を得るために、不織布基材１としては、白又はそれに近い色のものを用いることが好ましい。そのためには不織布基材１として、それ自体が白又はそれに近い色のものを用いることができることはもちろん、片面又は両面にアルミ蒸着したものを用いることもできる。不織布基材１の幅は、それが施工される垂木（木枠）１１間の間隔よりも、少し大となるように設定される（図５参照）。
【００２３】
通例、中空突出部２、２ａは同じ高さ及び大きさに形成されるが、高さ及び大きさは必ずしも均一である必要はない。また、中空突出部２、２ａの形状は特に問わないが、好ましくは、通気効率を考慮して、長さ方向に長い、換言すれば、通気方向に長い錐形状とする。  
【００２４】
また、通例、中空突出部２、２ａは規則的に配置されるが、ランダムな配置であってもよい。但し、各中空突出部２、２ａ間に十分な通気スペースを生成させるために、余り密な配列とならないようにする必要がある。一実施形態においては、大きいサイズの中空突出部２の列と小さいサイズの中空突出部２ａの列が長さ方向に交互に配列され、また、大きいサイズの中空突出部２の列に対して小さいサイズの中空突出部２ａの列がずらされることにより、各中空突出部２、２ａが千鳥状配置となるようにされる（図１参照）。また、図１に示す実施形態においては、大きいサイズの中空突出部２の列の両端部の中空突出部２ｃは、内側の中空突出部２よりも細長形状にされている。
【００２５】
好ましくは、不織布基材１の周縁部に、低い突条又は浅い縦長溝である補強用リブ３が形成され、また、各中空突出部２、２ａ間をつなぐようにして、補強用リブ３と同様の補強用リブ４が形成される。また、図１において、各中空突出部２ａを幅方向に連結する補強用リブ４を補強用リブ３にまで延ばすことにより、本通気層形成用部材Ｓの垂木１１間設置時における突っ張り力を増強することができる。好ましくは、通気層形成用部材Ｓの周縁部と中空突出部２、２ａの頂点部の一方又は双方を垂木１１又は野地板１２に、タッカー止め等により固定可能にする。  
【００２６】
本発明に係る通気層形成用部材Ｓは、垂木１１間に複数隣接させて配設していくものであるため、各部材同士が接合可能であることが好ましい。そのために、例えば、長さ方向端部（後端）に形成される中空突出部２ｂを、隣り合う部材Ｓの長さ方向端部（前端）に形成される中空突出部２ｂに嵌合することにより、当該通気層形成用部材Ｓ同士のスタッキング接合が可能となるようにされる。図１に示される例では、中空突出部２ｂは、通気の妨げとならないよう、中空突出部２ａよりも更に小サイズのものとされている。  
【００２７】
本発明に係る通気層形成用部材Ｓを用いて屋根部分へ断熱材を施工するに際しては、先ず、野地板１２が張られた各垂木１１間に通気層形成用部材Ｓを、不織布基材１を下にして、換言すれば、中空突出部２が上方に向くようにして室内側から嵌め付けていく（図６におけるａ列参照）。長さ方向端部に互いに嵌合し合う中空突出部２ｂを設けたときは、一方の通気層形成用部材Ｓの中空突出部２ｂを他方の通気層形成用部材Ｓの中空突出部２ｂに嵌合して接合していく（図６におけるｂ列参照）。  
【００２８】
このようにして垂木１１間に装填された各通気層形成用部材Ｓは、不織布基材１の幅が垂木間１１の間隔よりも若干大に設定されていて、垂木１１間に押し込まれた状態となっているため、不織布基材１の復元力によって垂木１１間に引掛かり、脱落しない。特に、各中空突出部２ａを幅方向に連結する補強用リブ４を端縁部の補強用リブ３にまで延ばした場合は、突っ張り力が増強されるために、垂木１１間に一層安定的に配置することが可能となり、その分施工が容易となる。
【００２９】
その後断熱材１３を、本通気層形成用部材Ｓが張設された垂木１１間の空間内に室内側から順次装填していき（図６におけるｃ列参照）、断熱材１３をすべての垂木１１間へ装填した後（図６におけるｄ列参照）、板張りして施工完了となる。かくして、断熱材１３と野地板１２との間に本部材Ｓが介在することによって通気層が確保され、以て、軒先から棟に抜ける通気が可能となる（図７参照）。  
【００３０】
なお、断熱材１３として、現場発泡ウレタン等が用いられることが少なくないが、その場合は、垂木１１に当接する部材Ｓの周縁部と野地板１２に当接する中空突出部２、２ａの頂点部の一方又は双方（殊に後者）を、タッカー止め等により固定しておく。そのように固定した場合には、発泡材の膨張に伴って通気層形成用部材Ｓが室内側に引っ張られることがなくなり、それが室内側に引っ張られることにより生ずる断熱材の膨出部分が、不必要に削り取られることで断熱材の厚み不足を招く、といった事態が発生することがなくなる。
【００３１】
次いで、図３乃至図５に示す第２の実施形態について説明する。図３及び図４に示されるように、この第２の実施形態においては、上記第１の実施形態における大きいサイズの中空突出部２の列の両端の細長の中空突出部２ｃと長尺辺側の補強用リブ３を省略し、中空突出部２ｃ部分に縦長で浅めの縦長溝５を配設し、この縦長溝５によって長尺辺側の補強用リブ３の機能を果たさせている。
【００３２】
また、各中空突出部２ａを幅方向に連結する補強用リブ４は、不織布基材１の幅方向端部にまで延ばされる。そのようにするのは、通気層形成用部材Ｓの垂木１１間設置時における突っ張り力を増強させるためであることは、第１の実施形態における場合と同じである。
【００３３】
更に、通気層形成用部材Ｓ同士の接合に際し、スタッキング位置に自由性を持たせるために、端縁部の中空突出部２ｄを、内側の中空突出部２ａと同一サイズにしている。即ち、１つの通気層形成用部材Ｓの端部の中空突出部２ｄ列を、それに接合される通気層形成用部材Ｓの端部の中空突出部２ｄ列に、あるいは、内側の中空突出部２ａ列のいずれかの列に重合して接合することが可能となる。このようにすることにより、接合に際し、長さ合わせをするために一方の通気層形成用部材Ｓを切断する手間が省ける。
【００３４】
上記以外の構成は、第１の実施形態の場合と基本的に変わりはなく、その施工も、第１の実施形態の場合に準じて行われる。
【００３５】
図５は、第２の実施形態に係る通気層形成用部材Ｓの種々の施工状態を示すもので、そこに示されるように、垂木１１間の間隔に対応して折曲位置が変更される。図５（Ａ）の場合は縦長溝５の外側から折曲され、縦長溝５よりも外側の縁辺部６全体が垂木１１に当接した状態となっており、図５（Ｂ）の場合は縦長溝５の内側から折曲され、縦長溝５部分は垂木１１から離れ、縁辺部６のみが垂木１１に当接した状態となっており、図５（Ｃ）の場合は縦長溝５の外側から折曲され、縁辺部６の下半部が垂木１１に当接した状態となっており、図５（Ｄ）の場合は縦長溝５の内側から折曲され、縦長溝５から縁辺部６にかけて垂木１１に当接した状態となっている。
【００３６】
好ましい施工方法においては、図５の各図に示すように本部材Ｓを垂木１１間に嵌装した後、野地板１２に当接する中空突出部２、２ａ〜ｃを野地板１２に、タッカー止め等により固定する。また、必要に応じて更に、垂木１１に当接する縁辺部６や縦長溝５部分も同様に、垂木１１にタッカー止め等により固定する。そうすることにより、発泡材の膨張に伴って部材Ｓが室内側に引っ張られることにより生ずる断熱材の膨出部分が、不必要に削られることで断熱材の厚み不足を招く事態の発生が防止されることは、第１の実施形態の場合と同様である。
【００３７】
以上いずれの実施形態においても、通気層形成用部材Ｓは、不織布基材１を真空成形することにより、不織布基材１の全面に亘って多数の中空突出部２、２ａ〜ｄを配設して成り、通例、中空突出部２、２ａ〜ｄは長さ方向に長い、換言すれば、通気方向に長い錐形状とされるため、各中空突出部２、２ａ〜ｄ間に長さ方向の通気スペースができ、そこにおいて良好な通気がなされ、以て、断熱性能の向上を企図することができる。  
【００３８】
また、断熱材の施工を現場発泡ウレタン工法によって行う場合は、通気層形成用部材Ｓが不織布製であるために、全体的に発泡原液が十分含浸される。そして、その状態で発泡するために、断熱材１３は、通気層形成用部材Ｓの反対側においても薄く形成される（図７参照）。かくして、断熱材１３の通気層形成用部材Ｓに対する自己接着力が増大し、断熱材１３は通気層形成用部材Ｓと完全に一体化するため、断熱材１３が通気層形成用部材Ｓから脱落するおそれはない。
【００３９】
また、通気層形成用部材Ｓの反対側において中空突出部２等に薄く形成された断熱材１３は、野地板１２等にも自己接着して安定状態を保持する。その場合野地板１２等に対しては、面状ではなく、点状に接触して自己接着するため、建物解体時等において、断熱材１３を通気層形成用部材Ｓと一体に野地板１２等の周辺部材から分離することが容易となり、廃棄資材の分別も容易となる。
【００４０】
本発明に係る通気層形成用部材Ｓは上記構成のため、量産に適していて低コストにて供給でき、しかも、ある程度の剛性を有する不織布製であるために耐久性、施工性及び透湿性に富むという利点があり、断熱材１３と野地板１２との間に通気層を形成するための部材として好適なものとなる。  
【００４１】
この発明をある程度詳細にその最も好ましい実施形態について説明してきたが、この発明の精神と範囲に反することなしに更に異なる実施形態を構成することができることは明白である。従って、この発明は添付請求の範囲において限定した以外は、その特定の実施形態に制約されるものではないことは言うまでもない。
【符号の説明】
【００４２】
Ｓ      通気層形成用部材
１      不織布基材
２      中空突出部
２ａ      中空突出部
２ｂ      中空突出部
２ｃ      中空突出部
２ｄ      中空突出部
３      補強用リブ
４      補強用リブ
５      縦長溝
６      縁辺部
１１      垂木
１２      野地板
１３      断熱材
【図１】
0006022853.tif 000002
【図２】
0006022853.tif 000003
【図３】
0006022853.tif 000004
【図４】
0006022853.tif 000005
【図５】
0006022853.tif 000006
【図６】
0006022853.tif 000007
【図７】
0006022853.tif 000008
【図８】
0006022853.tif 000009